(57)【要約】【課題】天井埋込み型照明器具において、埋込み用角形穴と照明器具本体周囲の間に挿入される寸法調整用フレームが穴の大きさに合わせて容易に作成できる。【解決手段】天井に開けられた四角形の穴３と照明器具本体周囲との間にフレーム７が挿入される。フレーム７は、穴３の各辺３ａ、３ｂに沿う２辺８ａ、８ｂを有するＬ字状辺部材８とコーナ辺部材９とから構成される。コーナ辺部材９は、ひさし状に突出された薄板部９ｂを有する。フレーム７が穴３に取付けられる手順は、２つのＬ字状辺部材８が穴３に挿入され、Ｌ字状辺部材８の各辺８ａ、８ｂが穴３の各辺３ａ、３ｂに当接して固定される。その後、穴３の角部３ｃにおいてコーナ辺部材９が下方から挿入され、Ｌ字状辺部材８に連結される。この状態でＬ字状辺部材８の端部とコーナ辺部材９の端部の間の隙間がコーナ辺部材９の薄板部９ｂによって覆われる。穴３の辺の長さの違いが隙間によって吸収される。【選択図】図２
2008047439.tif 000002
【特許請求の範囲】
【請求項１】
天井に開けられた照明器具埋込み用の角形穴に照明器具本体が埋込まれ、前記角形穴と前記照明器具本体周囲との間に寸法調整用のフレームが挿入された天井埋込み型照明器具において、
前記寸法調整用のフレームは、前記角形穴の各辺に対応する辺部材を含み、これら各辺部材の各々は、少なくとも１箇所で分断されており、
前記各辺部材は、前記分断箇所が露出しないように端部下面側で一部がオーバーラップした調整構造とされていることを特徴とする天井埋込み型照明器具。
【請求項２】
前記分断箇所が前記角形穴の角部近傍であることを特徴とする請求項１に記載の天井埋込み型照明器具。
【発明の詳細な説明】
【技術分野】
【０００１】
本発明は、天井埋込み型照明器具に関する。
【背景技術】
【０００２】
従来から、天井に開けられた角形の穴に下方から照明器具本体が埋込まれ、角形穴と照明器具本体の周囲との間に、両者の隙間を閉塞するための寸法調整用フレームが挿入された天井埋込み型照明器具が知られている。
【０００３】
一方、種々の角度に傾斜した天井に対して共通の照明器具が使用できるように、天井との連結部に配置される開口枠が天井に埋込まれる本体に対して３次元方向に首振り自在に連結された照明器具が知られている（例えば、特許文献１参照）。
【特許文献１】特開２００２−１５６１５号公報
【発明の開示】
【発明が解決しようとする課題】
【０００４】
ところで、上記照明器具本体を天井に埋込むための角形の穴は、施工の現場においてカッター等を用いて手作業で開けられるために寸法精度が高いものではない。従って、その角形穴と照明器具本体との間に挿入される寸法調整用フレームも現場作業によって穴に適合する大きさに逐一調整して作成されなければならず、面倒な作業であった。
【０００５】
さらに、穴の大きさに精密に適合するフレームを作成することが容易ではないことから、穴と照明器具本体との間をほぼ完全に隙間なく閉塞された状態にすることも容易ではなかった。天井との間に隙間が生じた天井埋込み型照明器具は、意匠上好ましくない。
【０００６】
そこで、本発明は、天井に開けられた角形穴に照明器具本体が埋込まれる埋込み型照明器具において、角形穴の大きさに適合する寸法調整用フレームが容易に作成でき、角形穴と照明器具本体との間が隙間なく閉塞された状態にすることが容易である天井埋込み型照明器具を提供することを目的とする。
【課題を解決するための手段】
【０００７】
上記目的を達成するために、請求項１の発明は、天井に開けられた照明器具埋込み用の角形穴に照明器具本体が埋込まれ、前記角形穴と前記照明器具本体周囲との間に寸法調整用のフレームが挿入された天井埋込み型照明器具において、前記寸法調整用のフレームは、前記角形穴の各辺に対応する辺部材を含み、これら各辺部材の各々は、少なくとも１箇所で分断されており、前記各辺部材は、前記分断箇所が露出しないように端部下面側で一部がオーバーラップした調整構造とされていることを特徴とする。
【０００８】
請求項２の発明は、請求項１に記載の天井埋込み型照明器具において、前記分断箇所が前記角形穴の角部近傍であることを特徴とする。
【発明の効果】
【０００９】
本発明によれば、寸法調整用のフレームを構成する辺部材が、少なくとも１箇所で分断されており、かつ端部下面側で一部がオーバーラップした調整構造とされているので、各辺部材を組合わせて角形穴の大きさに適合する寸法調整用フレームが容易に作成でき、容易に角形穴と照明器具本体との間が隙間なく閉塞された状態にすることができる。
【発明を実施するための最良の形態】
【００１０】
以下、本発明の一実施形態に係る天井埋込み型照明器具について図１乃至図４を参照して説明する。本実施形態の天井埋込み型照明器具１は、図１に示されるように、天井２に開けられた四角形の穴３に外形が略同一の四角形の照明器具本体４が、下方（室内側）から埋込まれて設置される。照明器具本体４は、天井裏の天面５から垂設された複数本のロッド６に固定されて支持される。
【００１１】
穴３は、現場作業によって照明器具本体４の周囲よりも僅かに大きく開けられ、穴３と照明器具本体４の周囲との隙間には、寸法調整用のフレーム７が挿入される。
【００１２】
なお、室内側から照明器具１を見上げたときに照明器具本体４の下面の外周がフレーム７の下端面７ａによって縁取られたように見えるため、意匠上の観点からフレーム７の厚さｔは薄い方が好ましい。
【００１３】
以下、寸法調整用のフレーム７について説明する。寸法調整用のフレーム７は、図２に示されるように、四角形の穴３の隣接する２辺３ａ、３ｂに沿うＬ字状の辺部材８（以下、Ｌ字状辺部材という）と、四角形の穴３の対向する角部３ｃに沿うコーナ辺部材９とから構成される。コーナ辺部材９は、図２及び図３に示されるように、Ｌ字状の基部９ａと基部９ａの下面においてひさし状に突出された薄板部９ｂとを有する。Ｌ字状の基部９ａの両辺９ａａ、９ａｂの長さは同一に形成されている。
【００１４】
Ｌ字状辺部材８の直交する２辺８ａ、８ｂは、それぞれ穴３の長辺３ａと短辺３ｂの長さよりも短い長さを有し、Ｌ字状辺部材８の長辺８ａの長さとコーナ辺部材９の辺９ａａの長さを足した長さが穴３の長辺３ａの長さよりも少し短い長さに形成される。また、Ｌ字状辺部材８の短辺８ｂの長さとコーナ辺部材９の辺９ａｂの長さを足した長さが穴３の短辺３ｂの長さよりも少し短い長さに形成される。
【００１５】
なお、四角形の穴３が正方形に形成される場合には、Ｌ字状辺部材８の両辺８ａ、８ｂの長さは同一に形成される。また、Ｌ字状辺部材８とコーナ辺部材９は、共に押出し材、ダイカスト、樹脂成型品等によって構成される。
【００１６】
寸法調整用のフレーム７の構造の詳細について、該フレーム７を四角形の穴３の内周に取付ける手順に沿って説明する。作業者は、まず、図２に示されるように２つのＬ字状辺部材８を下方から挿入して穴３の対応する辺３ａ、３ｂに当接し、Ｌ字状辺部材８の要所に開けられた孔１１にビスを螺入して固定する。
【００１７】
次に、作業者は、上記のようにして穴３の内周に固定されたＬ字状辺部材８の端部同士の間に、コーナ辺部材９を下方から挿入する（図３参照）。Ｌ字状辺部材８の各辺８ａ、８ｂの端部には、図４に示されるように凹所１２が形成され、コーナ辺部材９の両辺９ａａ、９ａｂには板ばね１３が取付けられており、コーナ辺部材９が下方から所定の力で挿入されることによって板ばね１３の凸部１３ａが凹所１２に突入してＬ字状辺部材８とコーナ辺部材９が連結される。なお、図２と図３において、凹所１２と板ばね１３は省略されている。
【００１８】
また、Ｌ字状辺部材８の各辺８ａ、８ｂの長さとコーナ辺部材９の辺９ａａ、９ａｂの長さがそれぞれ上述のように形成されることによって、穴３の内周に取付けられたＬ字状辺部材８の端部とコーナ辺部材９の基部９ａの端部との間には隙間Ｇ（分断箇所）が生じるが、この隙間Ｇは、Ｌ字状辺部材８の端部下面側にコーナ辺部材９の薄板部９ｂがオーバーラップすることによって下方（室内側）へ露出することがない。つまり、室内側から照明器具１を見上げたときに、隙間Ｇは薄板部９ｂによって隠蔽される。
【００１９】
さらに、上記隙間Ｇがあることによって、穴３の各辺３ａ、３ｂの長さが穴ごとに区々であっても、その長さの違いが隙間Ｇによって吸収されるので、同一のＬ字状辺部材８と同一のコーナ辺部材９を用いて大きさの異なる穴３に対して隙間なく密着するフレーム７を作成することができる。
【００２０】
なお、コーナ辺部材９の薄板部９ｂは、Ｌ字状辺部材８の端部にオーバーラップされたときに、Ｌ字状辺部材８の端部下面との間に段差が生じないように、図３及び図４に示されるように、先端が細いテーパ状に形成される。
【００２１】
コーナ辺部材９の薄板部９ｂが上記のように形成されることによって、該照明器具１を下方から見上げたときに、コーナ辺部材９が挿入されたフレーム７の角部が盛上がって（下方へ膨らんで）見えるが、本実施形態では、図２に示されるように、Ｌ字状辺部材８の直角屈曲部の下面に下方への膨出部８ｃが形成してあり、フレーム７の４つの角部全てが下方への膨出部を有するバランスのとれた意匠になるように図ってある。
【００２２】
以上のように、本実施形態によれば、寸法調整用のフレーム７を構成する辺部材（Ｌ字状辺部材８、コーナ辺部材９）が、穴３の各辺３ａ、３ｂに対応する部分において少なくとも１箇所の隙間（分断箇所）Ｇを有しており、かつ薄板部９ｂによって辺部材８、９の端部同士が一部オーバーラップした調整構造とされているので、各辺部材８、９を組合わせて角形穴３の大きさに適合する寸法調整用フレーム７が容易に作成でき、角形穴３と照明器具本体４との間が隙間なく閉塞された状態にすることが容易である。
【００２３】
上記実施形態の変形例について説明する。第１の変形例として、Ｌ字状辺部材８とコーナ辺部材９が両者の端部に挿入されたピン１４によって連結される場合について、図５と図６を参照して説明する。
【００２４】
この第１の変形例では、Ｌ字状辺部材８の端部にピン１４が進入可能な穴１５が開けられ、コーナ辺部材９の基部９ａの端部にピン１４が埋込まれている。作業者は、まず、２つのＬ字状辺部材８と２つのコーナ辺部材９を、コーナ辺部材９側のピン１４がＬ字状辺部材８の穴１５に挿入するようにして四角形状のフレーム７に組立てる。このとき、フレーム７は、Ｌ字状辺部材８とコーナ辺部材９の間の隙間Ｇが比較的小さくなるように組立てられ、２つのＬ字状辺部材８と２つのコーナ辺部材９によって形成される四角形が天井２に開けられた四角形の穴３よりも少し小さく形成される。
【００２５】
作業者は、上記により組立てた四角形状のフレーム７を天井の穴３に挿入し、２つのＬ字状辺部材８を穴３の各辺３ａ、３ｂに沿わせて当接させる。Ｌ字状辺部材８が穴３の各辺３ａ、３ｂに当接されることによって四角形状のフレーム７の全体の大きさが穴３の内周に一致するように拡大され、２つのＬ字状辺部材８及び２つのコーナ辺部材９が穴３の各辺３ａ、３ｂ及び角部３ｃに密着される。
【００２６】
次に、第２の変形例として、隙間（分断箇所）Ｇが四角形穴３の各辺３ａ、３ｂの中央部近傍に形成される場合について、図７（ａ）及び図７（ｂ）を参照して説明する。
【００２７】
この第２の変形例では、フレーム７が、比較的短い辺を有する４つのＬ字状辺部材２８と、基部２９ａと薄板部２９ｂを有する４つの小さな辺部材２９（以下、小辺部材という）で構成される。
【００２８】
Ｌ字状辺部材２８の端部と小辺部材２９の端部の間には隙間（分断箇所）Ｇが形成されるが、この隙間（分断箇所）Ｇは、小辺部材２９の薄板部２９ｂによってオーバーラップされて隠蔽される。この例では、２種類の形状の辺部材２８、２９が、それぞれ４つ必要であるが、四角形穴３の各辺３ａ、３ｂの中央部近傍にそれぞれ２箇所の隙間（分断箇所）Ｇが形成されるので、個々の四角形穴３の長さの違いを吸収する量を充分に得ることが容易である。
【００２９】
次に、第３の変形例として、フレーム７が１種類の形状の辺部材によって構成される場合について、図８（ａ）及び図８（ｂ）を参照して説明する。第３の変形例では、フレーム７が、長い辺３８ａと短い辺３８ｂを有する４つのＬ字状部材３８で構成される。そして、Ｌ字状部材３８の長い辺３８ａの先端に薄板部３８ｃが形成されており、長い辺３８ａの端部の薄板部３８ｃが短い辺３８ｂの端部をオーバーラップするように組立てられる。この例では、フレーム７を構成する辺部材３８が１種類で済み、部品の管理が容易である。なお、本発明は、上記実施形態の構成に限られず、発明の趣旨を変更しない範囲で種々の変更が可能である。
【図面の簡単な説明】
【００３０】
【図１】本発明の一実施形態に係る天井埋込み型照明器具の側断面図。
【図２】同天井埋込み型照明器具における寸法調整用フレームの天井の穴への挿入手順を示す斜視図。
【図３】同天井埋込み型照明器具におけるＬ字状辺部材の端部に対するコーナ辺部材の挿入態様を示す斜視図。
【図４】同天井埋込み型照明器具におけるＬ字状辺部材とコーナ辺部材の結合構造を示す側面図。
【図５】同天井埋込み型照明器具における第１の変形例のＬ字状辺部材とコーナ辺部材の結合構造を示す側面図。
【図６】同第１の変形例におけるＬ字状辺部材とコーナ辺部材の結合構造を示す下面図。
【図７】（ａ）は、同天井埋込み型照明器具における第２の変形例のフレームの構成を示す下面図、（ｂ）は、図７（ａ）におけるＡ方向からの矢視図。
【図８】（ａ）は、同天井埋込み型照明器具における第３の変形例のフレームの構成を示す下面図、（ｂ）は、図８（ａ）におけるＢ方向からの矢視図。
【符号の説明】
【００３１】
１  天井埋込み型照明器具
２  天井
３  角形穴
４  照明器具本体
７  寸法調整用のフレーム
８  Ｌ字状辺部材（辺部材）
９  コーナ辺部材（辺部材）
９ｂ  薄板部
２８  Ｌ字状辺部材（辺部材）
２９  小辺部材（辺部材）
２９ｂ  薄板部
３８  Ｌ字状辺部材（辺部材）
３８ｃ  薄板部
Ｇ  隙間（分断箇所）
【図１】
2008047439.tif 000003
【図２】
2008047439.tif 000004
【図３】
2008047439.tif 000005
【図４】
2008047439.tif 000006
【図５】
2008047439.tif 000007
【図６】
2008047439.tif 000008
【図７】
2008047439.tif 000009
【図８】
2008047439.tif 000010